(57)【特許請求の範囲】
【請求項１】
内面が球面の一部をなし、その底部に水平方向に所定の径の開口部を有する皿状部材を振動の伝達を受ける所定の空間位置に固定した固定部と、
この固定部の前記皿状部材における前記球面と外接する外接面を外周部分に形成し、前記開口部の径よりも大径となった頭部と、この頭部と接すると共に前記開口部の径よりも小径となった所定長の棒状の胴体部と、この胴体部における前記頭部と反対側に配置され前記開口部の径よりも小径となった接触部とを備え、前記頭部と接触部とが電気的に導通しており、前記皿状部材の前記球面と前記頭部の前記外接面とが摺接することで特定点を回転中心として揺動自在に配置された棒状部と、
貫通孔を備え前記棒状部の前記胴体部をこれに貫挿した重り部材と、この重り部材を上下動自在に前記棒状部に支持する弾性部材とを備えた特定方向振動部と、
前記棒状部が前記固定部に静止状態で垂直に保持されているときに前記接触部と電気的に接触して前記頭部との間で電気的な接続のオン状態を保持する一方、前記棒状部が垂直方向に対して所定角度以上振れたとき、あるいは前記特定方向振動部が所定量以上上下動を行ったとき電気的な接続が少なくとも一時的にオフとなる接点を備えた接点部
とを具備することを特徴とする感震センサ。
【請求項２】
振動の伝達を受ける所定の空間位置に配置され水平方向に所定の径の開口部を有する支持部材と、
この支持部材の前記開口部の径よりも大径となった頭部と、この頭部の底面と接して前記開口部の径よりも小径となった所定長の棒状の胴体部と、この胴体部の前記頭部と反対側に位置する接触部とからなる導体部品であり、前記支持部材により前記頭部の下面を支持された状態で特定点を回転中心として揺動自在に配置された棒状部と、
貫通孔を備え前記棒状部の前記胴体部をこれに貫挿した重り部材と、前記接触部をこの重り部材の底部から露出させた状態で上下動自在に前記棒状部に支持する弾性部材とを備えた特定方向振動部と、
頂部が前記開口部と所定の距離を置いて対向配置され、前記棒状部が静止状態にあるとき前記重り部材を含めたこの棒状部の自重により前記接触部の外周面と電気的に接触して前記頭部との間で電気的な接続のオン状態を保持する一方、前記棒状部が前記静止状態にあるときの垂直方向となす角度よりも更に大きく振れたとき、あるいは前記特定方向振動部が所定量以上上下動を行ったとき前記頭部との間の電気的な接続が少なくとも一時的にオフとなる突起状の接点部
とを具備することを特徴とする感震センサ。
【請求項３】
前記接点部と前記棒状部の前記頭部との電気的な接続がオフとなったときこのオフとなった状態を自己保持する保持回路と、この保持回路の自己保持を解除するリセットスイッチとを具備することを特徴とする請求項１または請求項２記載の感震センサ。
【請求項４】
前記接点部と前記棒状部の前記頭部との電気的な接続のオン・オフによって励磁コイルのオン・オフ状態を切り替えてその接点をオン・オフ制御するリレー回路を更に具備することを特徴とする請求項３記載の感震センサ。
【請求項５】
コンセント本体と、
このコンセント本体内部の特定部位に配置され、その内面が球面の一部をなし、その底部に水平方向に所定の径の開口部を有する皿状部材を前記コンセント本体から振動の伝達を受ける所定の空間位置に固定した固定部と、この固定部の前記皿状部材における前記球面と外接する外接面を外周部分に形成し、前記開口部の径よりも大径となった頭部と、この頭部と接すると共に前記開口部の径よりも小径となった所定長の棒状の胴体部と、この胴体部における前記頭部と反対側に配置され前記開口部の径よりも小径となった接触部とを備え、前記頭部と接触部とが電気的に導通しており、前記皿状部材の前記球面と前記頭部の前記外接面とが摺接することで特定点を回転中心として揺動自在に配置された棒状部と、貫通孔を備え前記棒状部の前記胴体部をこれに貫挿した重り部材と、この重り部材を上下動自在に前記棒状部に支持する弾性部材とを備えた特定方向振動部と、前記棒状部が前記固定部に静止状態で垂直に保持されているときに前記接触部と電気的に接触して前記頭部との間で電気的な接続のオン状態を保持する一方、前記棒状部が垂直方向に対して所定角度以上振れたとき、あるいは前記特定方向振動部が所定量以上上下動を行ったとき電気的な接続が少なくとも一時的にオフとなる接点を備えた接点部とを有する感震センサと、
この感震センサの前記接点部の前記接点と前記棒状部の前記頭部との電気的な接続がオフとなったときこのオフとなった状態を自己保持する保持回路と、
この保持回路の自己保持を解除するリセットスイッチ
とを具備することを特徴とする異常時対応コンセント。
【請求項６】
コンセント本体と、
このコンセント本体内部の特定部位に配置され、前記コンセント本体から振動の伝達を受ける所定の空間位置に配置され水平方向に所定の径の開口部を有する支持部材と、この支持部材の前記開口部の径よりも大径となった頭部と、この頭部の底面と接して前記開口部の径よりも小径となった所定長の棒状の胴体部と、この胴体部の前記頭部と反対側に位置する接触部とからなる導体部品であり、前記支持部材により前記頭部の下面を支持された状態で特定点を回転中心として揺動自在に配置された棒状部と、貫通孔を備え前記棒状部の前記胴体部をこれに貫挿した重り部材と、前記接触部をこの重り部材の底部から露出させた状態で上下動自在に前記棒状部に支持する弾性部材とを備えた特定方向振動部と、頂部が前記開口部と所定の距離を置いて対向配置され、前記棒状部が静止状態にあるとき前記重り部材を含めたこの棒状部の自重により前記接触部の外周面と電気的に接触して前記頭部との間で電気的な接続のオン状態を保持する一方、前記棒状部が前記静止状態にあるときの垂直方向となす角度よりも更に大きく振れたとき、あるいは前記特定方向振動部が所定量以上上下動を行ったとき前記頭部との間の電気的な接続が少なくとも一時的にオフとなる突起状の接点部とを有する感震センサと、
この感震センサの前記接点部の前記接点と前記棒状部の前記頭部との電気的な接続がオフとなったときこのオフとなった状態を自己保持する保持回路と、
この保持回路の自己保持を解除するリセットスイッチ
とを具備することを特徴とする異常時対応コンセント。
【請求項７】
前記コンセント本体内部の他の特定部位に配置され、予め定めた温度以上の温度を感知したときその接点をオフにするサーモスイッチを具備し、前記保持回路は前記感震センサの前記接点部の前記接点と前記棒状部の前記頭部との電気的な接続または前記サーモスイッチの接点のいずれかが少なくともオフになったときこのオフとなった状態を自己保持する保持回路であることを特徴とする請求項５または請求項６記載の異常時対応コンセント。
【請求項８】
コンセント本体と、このコンセント本体内部の特定部位に配置され、その内面が球面の一部をなし、その底部に水平方向に所定の径の開口部を有する皿状部材を前記コンセント本体から振動の伝達を受ける所定の空間位置に固定した固定部と、この固定部の前記皿状部材における前記球面と外接する外接面を外周部分に形成し、前記開口部の径よりも大径となった頭部と、この頭部と接すると共に前記開口部の径よりも小径となった所定長の棒状の胴体部と、この胴体部における前記頭部と反対側に配置され前記開口部の径よりも小径となった接触部とを備え、前記頭部と接触部とが電気的に導通しており、前記皿状部材の前記球面と前記頭部の前記外接面とが摺接することで特定点を回転中心として揺動自在に配置された棒状部と、貫通孔を備え前記棒状部の前記胴体部をこれに貫挿した重り部材と、この重り部材を上下動自在に前記棒状部に支持する弾性部材とを備えた特定方向振動部と、前記棒状部が前記固定部に静止状態で垂直に保持されているときに前記接触部と電気的に接触して前記頭部との間で電気的な接続のオン状態を保持する一方、前記棒状部が垂直方向に対して所定角度以上振れたとき、あるいは前記特定方向振動部が所定量以上上下動を行ったとき電気的な接続が少なくとも一時的にオフとなる接点を備えた接点部とを有する感震センサと、この感震センサの前記接点部の前記接点と前記棒状部の前記頭部との電気的な接続がオフとなったときこのオフとなった状態を自己保持する保持回路と、この保持回路の自己保持を解除するリセットスイッチとを備えた異常時対応コンセントと、
この異常時対応コンセントよりも電源の下流側に配置され、前記電源の供給側に一端を接続された電線の他端を接続する入力側電線接続手段と、この入力側電線接続手段と接続されたプラグ接続端子と、前記入力側電線接続手段と電気的に接続され、後続のコンセントに電源を供給する出力側電線接続手段とを備えた通常時対応コンセントと、
前記異常時対応コンセントの前記保持回路の自己保持と前記リセットスイッチによる自己保持の解除に下流側の通常時対応コンセントが連動して電源の供給をオフまたはオンにして接続する導電性部材
とを具備することを特徴とする配線システム。
【請求項９】
コンセント本体と、このコンセント本体内部の特定部位に配置され、前記コンセント本体から振動の伝達を受ける所定の空間位置に配置され水平方向に所定の径の開口部を有する支持部材と、この支持部材の前記開口部の径よりも大径となった頭部と、この頭部の底面と接して前記開口部の径よりも小径となった所定長の棒状の胴体部と、この胴体部の前記頭部と反対側に位置する接触部とからなる導体部品であり、前記支持部材により前記頭部の下面を支持された状態で特定点を回転中心として揺動自在に配置された棒状部と、貫通孔を備え前記棒状部の前記胴体部をこれに貫挿した重り部材と、前記接触部をこの重り部材の底部から露出させた状態で上下動自在に前記棒状部に支持する弾性部材とを備えた特定方向振動部と、頂部が前記開口部と所定の距離を置いて対向配置され、前記棒状部が静止状態にあるとき前記重り部材を含めたこの棒状部の自重により前記接触部の外周面と電気的に接触して前記頭部との間で電気的な接続のオン状態を保持する一方、前記棒状部が前記静止状態にあるときの垂直方向となす角度よりも更に大きく振れたとき、あるいは前記特定方向振動部が所定量以上上下動を行ったとき前記頭部との間の電気的な接続が少なくとも一時的にオフとなる突起状の接点部とを有する感震センサと、この感震センサの前記接点部の前記接点と前記棒状部の前記頭部との電気的な接続がオフとなったときこのオフとなった状態を自己保持する保持回路と、この保持回路の自己保持を解除するリセットスイッチとを備えた異常時対応コンセントと、
この異常時対応コンセントよりも電源の下流側に配置され、前記電源の供給側に一端を接続された電線の他端を接続する入力側電線接続手段と、この入力側電線接続手段と接続されたプラグ接続端子と、前記入力側電線接続手段と電気的に接続され、後続のコンセントに電源を供給する出力側電線接続手段とを備えた通常時対応コンセントと、
前記異常時対応コンセントの前記保持回路の自己保持と前記リセットスイッチによる自己保持の解除に下流側の通常時対応コンセントが連動して電源の供給をオフまたはオンにして接続する導電性部材
とを具備することを特徴とする配線システム。
【請求項１０】
前記異常時対応コンセントは、前記コンセント本体内部の他の特定部位に配置され、予め定めた温度以上の温度を感知したときその接点をオフにするサーモスイッチを具備し、前記保持回路は前記感震センサの前記接点部の前記接点と前記棒状部の前記頭部との電気的な接続または前記サーモスイッチの接点のいずれかが少なくともオフになったときこのオフとなった状態を自己保持する保持回路であることを特徴とする請求項８または請求項９記載の配線システム。
【発明の詳細な説明】
【技術分野】
【０００１】
本発明は、地震等の振動の感知を行う感震センサ、この感震センサを内蔵した異常時対応コンセントおよび異常時対応コンセントを使用した配線システムに関する。
【背景技術】
【０００２】
地震大国である我が国では地震によって多くの被害が発生している。たとえば１９９５年１月１７日に発生した阪神淡路大震災がその一例である。この地震で約６４００名の命が失われている。この地震では多くの地点で火災が発生した。この火災は地震の発生直後よりもその後の電力供給が再開した時点で多く発生したと言われている。コンセントに接続したままの電気ストーブや発熱部を有するその他の電気製品が家具によって押し付けられたり家財の間に挟まれた状態となった場合が多い。この状態で、ある電気製品は電源が勝手に入ってしまい、またある電気製品は転倒時の安全スイッチが異常事態の下でうまく動作しなかった。このような状況の下で地震発生からしばらく経った後に電力会社の給電が再開すると、これらの電気製品が発熱し、火災を発生させてしまう。各家庭が広範に電化されている現在、このような地震等の異常時における電気製品の安全性を確保することは極めて重要である。
【０００３】
そこで、地震が発生したときにその揺れを検出して壁埋め込み型コンセントに取り付けられた配線器具に対して電源の供給を遮断するようにする技術が本発明の第１の関連技術として提案されている（たとえば特許文献１）。この第１の関連技術による配線器具は、そのプラグをコンセントに差し込んで、これを介して電気製品を使用する。そしてこの使用状態で配線器具内の振動検出器が振動を感知すると、同じく配線器具内の地震判定部が生活振動を取り除いて地震を判定する。この配線器具は、地震判定部が地震と判定したときにプラグから供給を受けた電気製品の電力を遮断する遮断回路を備えており、レセプタクルへの電力供給をこの時点から遮断するようになっている。
【０００４】
ところがこの第１の関連技術では壁埋め込み型コンセントの上に特別の配線器具を挿着し、これに電気製品のプラグを差し込んで使用する。したがって、壁面に配置された壁埋め込み型コンセントから配線器具が更にその厚さの分だけ突出することになり、これに更に電気製品のプラグを挿着すると大きな空間を必要とする。また、コンセントの上に配線器具を挿着するので、この配線器具自体が安定性を欠く。このため配線器具の内部の振動を感知する装置部分が生活振動と地震の振動を判別することが困難となり、地震判定部が高価となって配線器具自体の価格が高価になるという問題があった。また、配線器具を容易にコンセントから取り外しできるので、子供のいたずら等によってこの配線器具自体が無くなってしまうこともあり、肝心の異常発生時に役立たない場合もあった。
【０００５】
そこで、本発明者は第２の関連技術として、壁面にプラグの差込口を供え、比較的安価に異常時の電源遮断を実現できる配線システムを提案した（特許文献２参照）。この第２の関連技術の配線システムで使用する感震センサは、円柱状金属体の上面から上方に中心軸の延長上に突出した突起を、円柱状金属体の上に配置された錘の下面から下方に突出した突起と上下方向に重ねた状態で静止させて地震の発生を待機するようになっている。この待機状態で、地震が発生して振動によって２つの突起の位置がずれて錘が下方に移動すると、この錘の上下方向の移動に連動した機械式のスイッチの接点が開き、コンセントへの電源の供給が絶たれる。
【先行技術文献】
【特許文献】
【０００６】
【特許文献１】特開２００２−３６７７３７号公報（第００１８段落、第００１９段落、図１）
【特許文献２】特開２００４−３０４９６４号公報（第００２９段落〜第００３１段落、図１）
【発明の概要】
【発明が解決しようとする課題】
【０００７】
この第２の関連技術によれば、感震センサ自体をコンセントの内部に組み込むことで第１の関連技術で生じた各種の問題を解決することができる。しかしながら、第２の関連技術では、感震センサが一度地震を感知すると、機械的なリセット機構を用いて円柱状金属体の突起の上に錘の突起を再び正確に重ね合わせる必要がある。リセット機構が不完全に動作すると、スイッチの接点が機械的に閉じることができず、配線が正常に復帰しないという問題がある。そこで信頼性の高いリセット機構の実現が不可欠であるが、機構の小型化との兼ね合いで困難であった。
【０００８】
そこで本発明の目的は、振動の感知に伴う機械的なリセット機構を必要としない感震センサと、振動が収まった時点で勝手に電源の供給が再開しない復旧異常時対応コンセントおよび配線システムを提供することにある。
【課題を解決するための手段】
【０００９】
本発明では、（イ）内面が球面の一部をなし、その底部に水平方向に所定の径の開口部を有する皿状部材を振動の伝達を受ける所定の空間位置に固定した固定部と、（ロ）この固定部の前記した皿状部材における前記した球面と外接する外接面を外周部分に形成し、前記した開口部の径よりも大径となった頭部と、この頭部と接すると共に前記した開口部の径よりも小径となった所定長の棒状の胴体部と、この胴体部における前記した頭部と反対側に配置され前記した開口部の径よりも小径となった接触部とを備え、前記した頭部と接触部とが電気的に導通しており、前記した皿状部材の前記した球面と前記した頭部の前記した外接面とが摺接することで特定点を回転中心として揺動自在に配置された棒状部と、（ハ）貫通孔を備え前記した棒状部の前記した胴体部をこれに貫挿した重り部材と、この重り部材を上下動自在に前記した棒状部に支持する弾性部材とを備えた特定方向振動部と、（ニ）前記した棒状部が前記した固定部に静止状態で垂直に保持されているときに前記した接触部と電気的に接触して前記した頭部との間で電気的な接続のオン状態を保持する一方、前記した棒状部が垂直方向に対して所定角度以上振れたとき、あるいは前記した特定方向振動部が所定量以上上下動を行ったとき電気的な接続が少なくとも一時的にオフとなる接点を備えた接点部とを感震センサが具備する。
【００１０】
また、本発明では、（イ）振動の伝達を受ける所定の空間位置に配置され水平方向に所定の径の開口部を有する支持部材と、（ロ）この支持部材の前記した開口部の径よりも大径となった頭部と、この頭部の底面と接して前記した開口部の径よりも小径となった所定長の棒状の胴体部と、この胴体部の前記した頭部と反対側に位置する接触部とからなる導体部品であり、前記した支持部材により前記した頭部の下面を支持された状態で特定点を回転中心として揺動自在に配置された棒状部と、（ハ）貫通孔を備え前記した棒状部の前記した胴体部をこれに貫挿した重り部材と、前記した接触部をこの重り部材の底部から露出させた状態で上下動自在に前記した棒状部に支持する弾性部材とを備えた特定方向振動部と、（ニ）頂部が前記した開口部と所定の距離を置いて対向配置され、前記した棒状部が静止状態にあるとき前記した重り部材を含めたこの棒状部の自重により前記した接触部の外周面と電気的に接触して前記した頭部との間で電気的な接続のオン状態を保持する一方、前記した棒状部が前記した静止状態にあるときの垂直方向となす角度よりも更に大きく振れたとき、あるいは前記した特定方向振動部が所定量以上上下動を行ったとき前記した頭部との間の電気的な接続が少なくとも一時的にオフとなる突起状の接点部とを感震センサが具備する。
【００１１】
更に本発明では、（イ）コンセント本体と、（ロ）このコンセント本体内部の特定部位に配置され、その内面が球面の一部をなし、その底部に水平方向に所定の径の開口部を有する皿状部材を前記したコンセント本体から振動の伝達を受ける所定の空間位置に固定した固定部と、この固定部の前記した皿状部材における前記した球面と外接する外接面を外周部分に形成し、前記した開口部の径よりも大径となった頭部と、この頭部と接すると共に前記した開口部の径よりも小径となった所定長の棒状の胴体部と、この胴体部における前記した頭部と反対側に配置され前記した開口部の径よりも小径となった接触部とを備え、前記した頭部と接触部とが電気的に導通しており、前記した皿状部材の前記した球面と前記した頭部の前記した外接面とが摺接することで特定点を回転中心として揺動自在に配置された棒状部と、貫通孔を備え前記した棒状部の前記した胴体部をこれに貫挿した重り部材と、この重り部材を上下動自在に前記した棒状部に支持する弾性部材とを備えた特定方向振動部と、前記した棒状部が前記した固定部に静止状態で垂直に保持されているときに前記した接触部と電気的に接触して前記した頭部との間で電気的な接続のオン状態を保持する一方、前記した棒状部が垂直方向に対して所定角度以上振れたとき、あるいは前記した特定方向振動部が所定量以上上下動を行ったとき電気的な接続が少なくとも一時的にオフとなる接点を備えた接点部とを有する感震センサと、（ハ）この感震センサの前記した接点部の前記した接点と前記した棒状部の前記した頭部との電気的な接続がオフとなったときこのオフとなった状態を自己保持する保持回路と、（ニ）この保持回路の自己保持を解除するリセットスイッチとを異常時対応コンセントが具備する。
【００１２】
更にまた、本発明では、（イ）コンセント本体と、（ロ）このコンセント本体内部の特定部位に配置され、前記したコンセント本体から振動の伝達を受ける所定の空間位置に配置され水平方向に所定の径の開口部を有する支持部材と、この支持部材の前記した開口部の径よりも大径となった頭部と、この頭部の底面と接して前記した開口部の径よりも小径となった所定長の棒状の胴体部と、この胴体部の前記した頭部と反対側に位置する接触部とからなる導体部品であり、前記した支持部材により前記した頭部の下面を支持された状態で特定点を回転中心として揺動自在に配置された棒状部と、貫通孔を備え前記した棒状部の前記した胴体部をこれに貫挿した重り部材と、前記した接触部をこの重り部材の底部から露出させた状態で上下動自在に前記した棒状部に支持する弾性部材とを備えた特定方向振動部と、頂部が前記した開口部と所定の距離を置いて対向配置され、前記した棒状部が静止状態にあるとき前記した重り部材を含めたこの棒状部の自重により前記した接触部の外周面と電気的に接触して前記した頭部との間で電気的な接続のオン状態を保持する一方、前記した棒状部が前記した静止状態にあるときの垂直方向となす角度よりも更に大きく振れたとき、あるいは前記した特定方向振動部が所定量以上上下動を行ったとき前記した頭部との間の電気的な接続が少なくとも一時的にオフとなる突起状の接点部とを有する感震センサと、（ハ）この感震センサの前記した接点部の前記した接点と前記した棒状部の前記した頭部との電気的な接続がオフとなったときこのオフとなった状態を自己保持する保持回路と、（ニ）この保持回路の自己保持を解除するリセットスイッチとを異常時対応コンセントが具備する。
【００１３】
また、本発明では、（イ）コンセント本体と、このコンセント本体内部の特定部位に配置され、その内面が球面の一部をなし、その底部に水平方向に所定の径の開口部を有する皿状部材を前記したコンセント本体から振動の伝達を受ける所定の空間位置に固定した固定部と、この固定部の前記した皿状部材における前記した球面と外接する外接面を外周部分に形成し、前記した開口部の径よりも大径となった頭部と、この頭部と接すると共に前記した開口部の径よりも小径となった所定長の棒状の胴体部と、この胴体部における前記した頭部と反対側に配置され前記した開口部の径よりも小径となった接触部とを備え、前記した頭部と接触部とが電気的に導通しており、前記した皿状部材の前記した球面と前記した頭部の前記した外接面とが摺接することで特定点を回転中心として揺動自在に配置された棒状部と、貫通孔を備え前記した棒状部の前記した胴体部をこれに貫挿した重り部材と、この重り部材を上下動自在に前記した棒状部に支持する弾性部材とを備えた特定方向振動部と、前記した棒状部が前記した固定部に静止状態で垂直に保持されているときに前記した接触部と電気的に接触して前記した頭部との間で電気的な接続のオン状態を保持する一方、前記した棒状部が垂直方向に対して所定角度以上振れたとき、あるいは前記した特定方向振動部が所定量以上上下動を行ったとき電気的な接続が少なくとも一時的にオフとなる接点を備えた接点部とを有する感震センサと、この感震センサの前記した接点部の前記した接点と前記した棒状部の前記した頭部との電気的な接続がオフとなったときこのオフとなった状態を自己保持する保持回路と、この保持回路の自己保持を解除するリセットスイッチとを備えた異常時対応コンセントと、（ロ）この異常時対応コンセントよりも電源の下流側に配置され、前記した電源の供給側に一端を接続された電線の他端を接続する入力側電線接続手段と、この入力側電線接続手段と接続されたプラグ接続端子と、前記した入力側電線接続手段と電気的に接続され、後続のコンセントに電源を供給する出力側電線接続手段とを備えた通常時対応コンセントと、（ハ）前記した異常時対応コンセントの前記した保持回路の自己保持と前記したリセットスイッチによる自己保持の解除に下流側の通常時対応コンセントが連動して電源の供給をオフまたはオンにして接続する導電性部材とを配線システムが具備する。
【００１４】
更にまた、本発明では、（イ）コンセント本体と、このコンセント本体内部の特定部位に配置され、前記したコンセント本体から振動の伝達を受ける所定の空間位置に配置され水平方向に所定の径の開口部を有する支持部材と、この支持部材の前記した開口部の径よりも大径となった頭部と、この頭部の底面と接して前記した開口部の径よりも小径となった所定長の棒状の胴体部と、この胴体部の前記した頭部と反対側に位置する接触部とからなる導体部品であり、前記した支持部材により前記した頭部の下面を支持された状態で特定点を回転中心として揺動自在に配置された棒状部と、貫通孔を備え前記した棒状部の前記した胴体部をこれに貫挿した重り部材と、前記した接触部をこの重り部材の底部から露出させた状態で上下動自在に前記した棒状部に支持する弾性部材とを備えた特定方向振動部と、頂部が前記した開口部と所定の距離を置いて対向配置され、前記した棒状部が静止状態にあるとき前記した重り部材を含めたこの棒状部の自重により前記した接触部の外周面と電気的に接触して前記した頭部との間で電気的な接続のオン状態を保持する一方、前記した棒状部が前記した静止状態にあるときの垂直方向となす角度よりも更に大きく振れたとき、あるいは前記した特定方向振動部が所定量以上上下動を行ったとき前記した頭部との間の電気的な接続が少なくとも一時的にオフとなる突起状の接点部とを有する感震センサと、この感震センサの前記した接点部の前記した接点と前記した棒状部の前記した頭部との電気的な接続がオフとなったときこのオフとなった状態を自己保持する保持回路と、この保持回路の自己保持を解除するリセットスイッチとを備えた異常時対応コンセントと、（ロ）この異常時対応コンセントよりも電源の下流側に配置され、前記した電源の供給側に一端を接続された電線の他端を接続する入力側電線接続手段と、この入力側電線接続手段と接続されたプラグ接続端子と、前記した入力側電線接続手段と電気的に接続され、後続のコンセントに電源を供給する出力側電線接続手段とを備えた通常時対応コンセントと、（ハ）前記した異常時対応コンセントの前記した保持回路の自己保持と前記したリセットスイッチによる自己保持の解除に下流側の通常時対応コンセントが連動して電源の供給をオフまたはオンにして接続する導電性部材とを配線システムが具備する。
【発明の効果】
【００１５】
以上説明したように本発明の感震センサによれば、特定点を回転中心として揺動自在に配置された棒状部の先端が接点部から離れることをもって震動の感知を行うようにしたので、機械的にシンプルな構成で震動の感知を信頼性よく行うことができる。
【００１６】
また、本発明の異常時対応コンセントによれば、コンセントの内部に、特定点を回転中心として揺動自在に配置された棒状部の先端が接点部から離れることをもって震動の感知を行う感震センサを配置したので、感震センサを空間的に固定することができ、その動作の信頼性を高めることができる。また、感震センサの出力がオフとなったときこのオフとなった状態を自己保持する保持回路と、この保持回路の自己保持を解除するリセットスイッチを異常時対応コンセントに内蔵したので、リセットスイッチを動作させるまでコンセントから外部への電源の供給を絶つことができ、電力会社が電源の供給を開始したときの電気製品による火災の発生を有効に防止することができる。
【００１７】
更に本発明の配線システムによれば、安価な通常時対応コンセントの上流側に異常時対応コンセントを配置したので、異常時対応コンセントが異常を感知したときに通常時対応コンセントも給電を停止することができるだけでなく、電力会社が電源の供給を開始したときの電気製品による火災の発生を有効に防止することができる。また、地震の震度に応じた異常時対応コンセントと通常時対応コンセントを組み合わせることで、各種の震度に対応した電気製品の安全対策を採ることができる。
【図面の簡単な説明】
【００１８】
【図１】本発明の感震センサのクレーム対応図である。
【図２】本発明の他の感震センサのクレーム対応図である。
【図３】本発明の異常時対応壁埋め込み型コンセントのクレーム対応図である。
【図４】本発明の他の異常時対応壁埋め込み型コンセントのクレーム対応図である。
【図５】本発明の配線システムのクレーム対応図である。
【図６】本発明の他の配線システムのクレーム対応図である。
【図７】本発明の第１の実施の形態による感震センサをその振り子の中心軸に沿って切断した断面図である。
【図８】第１の実施の形態の感震センサにおける振り子を示した平面図である。
【図９】第１の実施の形態の感震センサを振り子の中心軸を中心として図７から９０度回転した位置で切断した場合の要部を表わした断面図である。
【図１０】第１の実施の形態の感震センサを使用した異常時対応壁埋め込み型コンセントの回路構成の要部を表わした回路図である。
【図１１】第１の実施の形態の異常時対応壁埋め込み型コンセントを使用した配線システムの一例を示したシステム構成図である。
【図１２】本発明の第２の実施の形態による感震センサをその振り子の中心軸に沿って切断した断面図である。
【図１３】第２の実施の形態の感震センサにおける振り子を示した平面図である。
【図１４】第２の実施の形態の感震センサを振り子の中心軸を中心として図１２から９０度回転した位置で切断した場合の要部を表わした断面図である。
【図１５】本発明の第１の実施の形態の配線システムの適用された第１の実施例におけるコンセントの接続関係を示した回路図である。
【図１６】第１の実施例で異常時対応壁埋め込み型コンセントが壁に埋め込まれたときの外観を示した平面図である。
【図１７】第２の実施例の配線システムにおけるコンセントの接続関係を示した回路図である。
【図１８】第３の実施例の配線システムにおけるコンセントの接続関係を示した回路図である。
【図１９】本発明の第１の実施の形態の変形例における感震センサをその振り子の中心軸に沿って切断した断面図である。
【発明を実施するための形態】
【００１９】
図１は、本発明の感震センサのクレーム対応図を示したものである。本発明の感震センサ１０は、固定部１１と、棒状部１２と、特定方向振動部１３と、接点部１４を備えている。ここで、固定部１１は、内面が球面の一部をなし、その底部に水平方向に所定の径の開口部を有する皿状部材を振動の伝達を受ける所定の空間位置に固定している。棒状部１２は、頭部１２ａと、胴体部１２ｂと、接触部１２ｃを備えている。頭部１２ａは、固定部１１の前記した皿状部材における前記した球面と外接する外接面を外周部分に形成し、前記した開口部の径よりも大径となっている。胴体部１２ｂは、頭部１２ａと接すると共に前記した開口部の径よりも小径となった所定長の棒状の部材である。接触部１２ｃは、胴体部１２ｂにおける頭部１２ａと反対側に配置され前記した開口部の径よりも小径となっている。棒状部１２は、頭部１２ａと接触部１２ｃとが電気的に導通しており、前記した皿状部材の前記した球面と頭部１２ａの前記した外接面とが摺接することで特定点を回転中心として揺動自在に配置されている。特定方向振動部１３は、貫通孔を備え棒状部１２の胴体部１２ｂをこれに貫挿した重り部材１３ａと、この重り部材１３ａを上下動自在に棒状部１２に支持する弾性部材１３ｂとを備えている。接点部１４は、棒状部１２が固定部１１に静止状態で垂直に保持されているときに接触部１２ｃと電気的に接触して頭部１２ａとの間で電気的な接続のオン状態を保持する一方、棒状部１２が垂直方向に対して所定角度以上振れたとき、あるいは特定方向振動部１３が所定量以上上下動を行ったとき電気的な接続が少なくとも一時的にオフとなる接点を備えている。
【００２０】
図２は、本発明の他の感震センサのクレーム対応図を示したものである。本発明の他の感震センサ２０は、支持部材２１と、棒状部２２と、特定方向振動部２３と、接点部２４を備えている。ここで、支持部材２１は、振動の伝達を受ける所定の空間位置に配置され水平方向に所定の径の開口部を有する。棒状部２２は、頭部２２ａと胴体部２２ｂと、接触部２２ｃとからなる導体部品である。頭部２２ａは、支持部材２１の前記した開口部の径よりも大径となっている。胴体部２２ｂは、頭部２２ａの底面と接して前記した開口部の径よりも小径となった所定長の棒状の部材である。接触部２２ｃは、胴体部２２ｂの頭部２２ａと反対側に位置する。棒状部２２は、支持部材２１により頭部２２ａの下面を支持された状態で特定点を回転中心として揺動自在に配置されている。特定方向振動部２３は、貫通孔を備え棒状部２２の胴体部２２ｂをこれに貫挿した重り部材２３ａと、接触部２２ｃをこの重り部材２３ａの底部から露出させた状態で上下動自在に棒状部２２に支持する弾性部材２３ｂとを備えている。接点部２４は、頂部が前記した開口部と所定の距離を置いて対向配置されている突起状の形状をしている。そして、棒状部２２が静止状態にあるとき接触部２２ｃが重り部材２３ａを含めた棒状部２２の自重により接点部２４と電気的に接触して頭部２２ａとの間で電気的な接続のオン状態を保持する一方、棒状部２２が前記した静止状態にあるときの垂直方向となす角度よりも更に大きく振れたとき、あるいは特定方向振動部２３が所定量以上上下動を行ったとき前記した頭部との間の電気的な接続が少なくとも一時的にオフとなる。
【００２１】
図３は、本発明の異常時対応コンセントのクレーム対応図を示したものである。本発明の異常時対応コンセント３０は、コンセント本体３１と、感震センサ３２と、保持回路３３と、リセットスイッチ３４を備えている。ここで、感震センサ３２は、固定部３２ａと、棒状部３２ｂと、特定方向振動部３２ｃと、接点部３２ｄを備えている。固定部３２ａは、コンセント本体３１内部の特定部位に配置され、その内面が球面の一部をなし、その底部に水平方向に所定の径の開口部を有する皿状部材を前記したコンセント本体から振動の伝達を受ける所定の空間位置に固定するものである。棒状部３２ｂは、固定部３２ａの前記した皿状部材における前記した球面と外接する外接面を外周部分に形成し、前記した開口部の径よりも大径となった頭部と、この頭部と接すると共に前記した開口部の径よりも小径となった所定長の棒状の胴体部と、この胴体部における前記した頭部と反対側に配置され前記した開口部の径よりも小径となった接触部とを備え、前記した頭部と接触部とが電気的に導通しており、前記した皿状部材の前記した球面と前記した頭部の前記した外接面とが摺接することで特定点を回転中心として揺動自在に配置されている。特定方向振動部３２ｃは、貫通孔を備え棒状部３２ｂの前記した胴体部をこれに貫挿した重り部材と、この重り部材を上下動自在に前記した棒状部に支持する弾性部材とを備えている。接点部３２ｄは、棒状部３２ｂが固定部３２ａに静止状態で垂直に保持されているときに前記した接触部と電気的に接触して前記した頭部との間で電気的な接続のオン状態を保持する一方、棒状部３２ｂが垂直方向に対して所定角度以上振れたとき、あるいは特定方向振動部３２ｃが所定量以上上下動を行ったとき電気的な接続が少なくとも一時的にオフとなる接点を備えている。保持回路３３は、感震センサ３２の接点部３２ｄの前記した接点と前記した棒状部の前記した頭部との電気的な接続がオフとなったときこのオフとなった状態を自己保持する。リセットスイッチ３４は、保持回路３３の自己保持を解除する。
【００２２】
図４は、本発明の他の異常時対応コンセントのクレーム対応図を示したものである。本発明の他の異常時対応コンセント４０は、コンセント本体４１と、感震センサ４２と、保持回路４３と、リセットスイッチ４４を備えている。ここで、感震センサ４２は支持部材４２ａと、棒状部４２ｂと、特定方向振動部４２ｃと、接点部４２ｄから構成されている。支持部材４２ａは、コンセント本体内部の特定部位に配置され、コンセント本体４１から振動の伝達を受ける所定の空間位置に配置され水平方向に所定の径の開口部を有している。棒状部４２ｂは、支持部材４２ａの前記した開口部の径よりも大径となった頭部と、この頭部の底面と接して前記した開口部の径よりも小径となった所定長の棒状の胴体部と、この胴体部の前記した頭部と反対側に位置する接触部とからなる導体部品であり、支持部材４２ａにより前記した頭部の下面を支持された状態で特定点を回転中心として揺動自在に配置されている。特定方向振動部４２ｃは、貫通孔を備え棒状部４２ｂの前記した胴体部をこれに貫挿した重り部材と、前記した接触部をこの重り部材の底部から露出させた状態で上下動自在に前記した棒状部に支持する弾性部材とを備えている。接点部４２ｄは、頂部が前記した開口部と所定の距離を置いて対向配置され、棒状部４２ｂが静止状態にあるとき前記した接触部が前記した重り部材を含めた棒状部４２ｂの自重により接点部４２ｄと電気的に接触して前記した頭部との間で電気的な接続のオン状態を保持する一方、棒状部４２ｂが前記した静止状態にあるときの垂直方向となす角度よりも更に大きく振れたとき、あるいは特定方向振動部４２ｃが所定量以上上下動を行ったとき前記した頭部との間の電気的な接続が少なくとも一時的にオフとなる突起状の部材である。保持回路４３は、感震センサ４２の接点部４２ｄの前記した接点と棒状部４２ｂの前記した頭部との電気的な接続がオフとなったときこのオフとなった状態を自己保持する。リセットスイッチ４４は、保持回路４３の自己保持を解除する。
【００２３】
図５は、本発明の配線システムのクレーム対応図を示したものである。本発明の配線システム５０は、異常時対応コンセント５１と、通常時対応コンセント５２と、導電性部材５３を備えている。ここで、異常時対応コンセント５１は、コンセント本体５１ａと、感震センサ５１ｂと、保持回路５１ｃと、リセットスイッチ５１ｄから構成される。感震センサ５１ｂは、コンセント本体５１ａ内部の特定部位に配置され、その内面が球面の一部をなし、その底部に水平方向に所定の径の開口部を有する皿状部材を前記したコンセント本体から振動の伝達を受ける所定の空間位置に固定した固定部と、この固定部の前記した皿状部材における前記した球面と外接する外接面を外周部分に形成し、前記した開口部の径よりも大径となった頭部と、この頭部と接すると共に前記した開口部の径よりも小径となった所定長の棒状の胴体部と、この胴体部における前記した頭部と反対側に配置され前記した開口部の径よりも小径となった接触部とを備え、前記した頭部と接触部とが電気的に導通しており、前記した皿状部材の前記した球面と前記した頭部の前記した外接面とが摺接することで特定点を回転中心として揺動自在に配置された棒状部と、貫通孔を備え前記した棒状部の前記した胴体部をこれに貫挿した重り部材と、この重り部材を上下動自在に前記した棒状部に支持する弾性部材とを備えた特定方向振動部と、前記した棒状部が前記した固定部に静止状態で垂直に保持されているときに前記した接触部と電気的に接触して前記した頭部との間で電気的な接続のオン状態を保持する一方、前記した棒状部が垂直方向に対して所定角度以上振れたとき、あるいは前記した特定方向振動部が所定量以上上下動を行ったとき電気的な接続が少なくとも一時的にオフとなる接点を備えた接点部とを有している。保持回路５１ｃは、感震センサ５１ｂの前記した接点部の前記した接点と前記した棒状部の前記した頭部との電気的な接続がオフとなったときこのオフとなった状態を自己保持する。リセットスイッチ５１ｄは、保持回路５１ｃの自己保持を解除する。通常時対応コンセント５２は、入力側電線接続手段５２ａと、プラグ接続端子５２ｂと、出力側電線接続手段５２ｃを備えている。入力側電線接続手段５２ａは、異常時対応コンセント５１よりも電源の下流側に配置され、前記した電源の供給側に一端を接続された電線の他端を接続する。プラグ接続端子５２ｂは、入力側電線接続手段５２ａと接続されている。出力側電線接続手段５２ｃは、入力側電線接続手段５２ａと電気的に接続され、後続のコンセントに電源を供給する。導電性部材５３は、異常時対応コンセント５１の保持回路５１ｃの自己保持とリセットスイッチ５１ｄによる自己保持の解除に下流側の通常時対応コンセント５２が連動して電源の供給をオフまたはオンにして接続する。
【００２４】
図６は、本発明の他の配線システムのクレーム対応図を示したものである。本発明の他の配線システム６０は、異常時対応コンセント６１と、通常時対応コンセント６２と、導電性部材６３を備えている。ここで、異常時対応コンセント６１は、コンセント本体６１ａと、感震センサ６１ｂと、保持回路６１ｃと、リセットスイッチ６１ｄから構成される。感震センサ６１ｂは、コンセント本体６１ａ内部の特定部位に配置され、コンセント本体６１ａから振動の伝達を受ける所定の空間位置に配置され水平方向に所定の径の開口部を有する支持部材と、この支持部材の前記した開口部の径よりも大径となった頭部と、この頭部の底面と接して前記した開口部の径よりも小径となった所定長の棒状の胴体部と、この胴体部の前記した頭部と反対側に位置する接触部とからなる導体部品であり、前記した支持部材により前記した頭部の下面を支持された状態で特定点を回転中心として揺動自在に配置された棒状部と、貫通孔を備え前記した棒状部の前記した胴体部をこれに貫挿した重り部材と、前記した接触部をこの重り部材の底部から露出させた状態で上下動自在に前記した棒状部に支持する弾性部材とを備えた特定方向振動部と、頂部が前記した開口部と所定の距離を置いて対向配置され、前記した棒状部が静止状態にあるとき前記した接触部が前記した重り部材を含めた前記した棒状部の自重により前記した接点部と電気的に接触して前記した頭部との間で電気的な接続のオン状態を保持する一方、前記した棒状部が前記した静止状態にあるときの垂直方向となす角度よりも更に大きく振れたとき、あるいは前記した特定方向振動部が所定量以上上下動を行ったとき前記した頭部との間の電気的な接続が少なくとも一時的にオフとなる突起状の接点部とを有する。保持回路６１ｃは、感震センサ６１ｂの前記した接点部の前記した接点と前記した棒状部の前記した頭部との電気的な接続がオフとなったときこのオフとなった状態を自己保持する。リセットスイッチ６１ｄは、保持回路６１ｃの自己保持を解除する。通常時対応コンセント６２は、異常時対応コンセント６１よりも電源の下流側に配置され、前記した電源の供給側に一端を接続された電線の他端を接続する入力側電線接続手段６２ａと、この入力側電線接続手段６２ａと接続されたプラグ接続端子６２ｂと、入力側電線接続手段６２ａと電気的に接続され、後続のコンセントに電源を供給する出力側電線接続手段６２ｃとを備えている。導電性部材６３は、異常時対応コンセント６１の保持回路６１ｃの自己保持とリセットスイッチ６１ｄによる自己保持の解除に下流側の通常時対応コンセント６２が連動して電源の供給をオフまたはオンにして接続する。
【００２５】
＜発明の第１の実施の形態＞
【００２６】
次に本発明の第１の実施の形態を説明する。
【００２７】
図７は、本発明の第１の実施の形態による感震センサの断面構造を表わしたものである。感震センサ１００は、外形が直方体をしており、樹脂により形成された装置本体１０１の上端および下端を、樹脂製の底蓋１０２および上蓋１０３によって密閉した構造となっている。
【００２８】
装置本体１０１の一側面１０４上部と上蓋１０３の境界位置からは第１の電極板１０５の一端が露出している。また、装置本体１０１の下部の同一側面１０４と底蓋１０２の境界位置からは第２の電極板１０６の一端が露出している。第１の電極板１０５は、１本のＬ字状の金属板の中程から、この金属板の短い直線部分１０５Ａの向きと逆方向に、すなわち長い直線部分１０５Ｂの中程から、短い直線部分１０５Ａと同じ長さの短い直線部分１０５Ｃが直線部分１０５Ａと反対方向に突出した形状の板状部材を使用している。この１本の板状部材は、短い２つの直線部分１０５Ａ、１０５Ｃを、それぞれ同一方向に折れ曲がるように、長い直線部分１０５Ｂに対して直角に折り曲げている。
【００２９】
装置本体１０１の内部上部には、直方体状の上部凹部１１１が形成されている。上部凹部１１１の中央部には、この底部から上部空間１１１の深さよりも第１の電極板１０５の直線部分１０５Ｂの厚さだけ短い高さの壁部材１１２が筒状に突出している。第１の電極板１０５の２つの直線部分１０５Ａ、１０５Ｃは、壁部材１１２の外壁表面を挟持した状態で、装置本体１０１と上蓋１０３の接着によって固定されている。
【００３０】
装置本体１０１の内部の中央から下部にかけては、直方体状の下部凹部１１３が形成されている。上部凹部１１１における壁部材１１２によって仕切られた円筒状空間１１１Ａの底部は、球面の一部を形成する面１１４によって下方に窪んだ部分球面形状となっている。この部分球面形状によって、上部凹部１１１の底部の中央には、下部凹部１１３と連通する所定の直径Ｄの開口部１１５が形成されている。
【００３１】
下部凹部１１３の底部に配置された第２の電極板１０６は、装置本体１０１の外部に端子としてその一端を突出させた第１の直線部分１０６Ａと、他端側から直角に折れ曲がった第２の直線部分１０６Ｂから構成されている。第２の直線部分１０６Ｂは、断面がコ字状に折り返された形状に加工されている。これにより、第２の直線部分１０６Ｂにおける折り返し前の状態で第１の直線部分１０６Ａから高さ方向に最も離れた部位（以下、支持部という。）１０６ＢＡは、加工後に、下部凹部１１３の底部と所定の間隔を置いて平行になっている。
【００３２】
支持部１０６ＢＡは、板状の振動板１１６の図示した一端近傍をリベット１１７によって位置的に固定している。振動板１１６は、その一部がプレス加工によって、丸い皿の形状に周囲を突起させた皿状部１１６Ａを形成している。このため、図７に示した断面の位置では、リベット１１７の頭部が皿状部１１６Ａの背後に隠れており、図示されていない。
【００３３】
円筒状空間１１１Ａの底部に位置する開口部１１５からは金属製の振り子１１８（１１８Ａ、１１８Ｂ、１１８Ｃ）が下部凹部１１３に向けて所定距離だけ差し込まれている。振り子１１８は、開口部１１５よりも大径の頭部１１８Ａと、開口部１１５よりも小径の胴体部１１８Ｂおよび胴体部１１８Ｂの先端に位置するテーパ状に加工された接触部１１８Ｃから構成されている。
【００３４】
図８は、振り子を単独の部品として示したものである。図７と共に説明する。
【００３５】
振り子１１８の頭部１１８Ａは、その上部の中央に突起１１８ＡＡが形成されている。突起１１８ＡＡは、円筒状空間１１１Ａ内で第１の圧縮バネ１２１の下端側を振り子１１８の頭部１１８Ａに固定するために用いられる。
【００３６】
頭部１１８Ａの下半分は面１１４と同一の曲率の部分球面を形成している。したがって、振り子１１８は第１の圧縮バネ１２１によって円筒状空間１１１Ａの底部に頭部１１８Ａの下半分の面を押しつけた状態で、部分球面を構成する球の中心を中心として揺動自在となっている。
【００３７】
胴体部１１８Ｂは接触部１１８Ｃに繋がる端部近傍がリング状にカットされた小径部１１８ＢＡを形成している。この小径部１１８ＢＡには留め具１２３が装着されており、その上に胴体部１１８Ｂの外径よりも内径の大きなワッシャ１２４が装着されている。ワッシャ１２４の上には第２の圧縮バネ１２５が胴体部１１８Ｂの外周を上下動自在に装着されている。ワッシャ１２４は第２の圧縮バネ１２５の下方向の移動を制限する役割を果たしている。
【００３８】
胴体部１１８Ｂには、断面がコ字状をした筒状の第１の錘１２６が上下動自在に装着されている。この第１の錘１２６の下向きに開放した窪部１２７の天井部分とワッシャ１２４の間には第２の圧縮バネ１２５が圧縮された状態で収容されている。第２の圧縮バネ１２５は振り子１１８が地震等の外力によって左右に揺動したり上下方向に移動したとき、これらの振動を早期に収束させて胴体部１１８Ｂを鉛直方向に静止させる役割を持っている。
【００３９】
接触部１１８Ｃはその先端部１１８ＣＡが部分球面を形成しており、丸まっている。先端部１１８ＣＡは、胴体部１１８Ｂが鉛直方向に静止した状態で皿状部１１６Ａの内面に摺接した状態を保っている。この状態で、第１の電極板１０５と第２の電極板１０６は、第１の圧縮バネ１２１、振り子１１８および振動板１１６を介して電気的に接続される。
【００４０】
これに対して、振り子１１８が左または右に揺動して先端部１１８ＣＡが皿状部１１６Ａの内面あるいは外周から離れると、第１の電極板１０５と第２の電極板１０６の間の電気的な接続は絶たれる。図７では、一点鎖線を用いて振り子１１８が揺動したときを具体的に表わしている。振り子１１８が図示のように右方向に振れたとすると、その間は先端部１１８ＣＡが皿状部１１６Ａから離れた状態となる。
【００４１】
図９は、第１の実施の形態の感震センサの要部を表わしたものである。感震センサ１００を構成する振動板１１６の一端は、すでに説明したようにリベット１１７によって第２の電極板１０６の支持部１０６ＢＡによって位置的に固定されている。振動板１１６の他端は自由端となっており、その自由端の近傍には第２の錘１３１が固定されている。
【００４２】
また、振り子１１８が静止してその先端部１１８ＣＡ（図８）が皿状部１１６Ａの内部中央と接触している状態で、振動板１１６はほぼ水平を保っている。このとき、振動板１１６の自由端側の端部１１６Ｂは、下部凹部１１３の内壁から一部突出した突起部１０１Ａのわずか下に位置するようになっている。突起部１０１Ａは、感震センサ１００に上下方向の振動が加わったときの振動板１１６の振れの上限位置を規制する役割を持っている。
【００４３】
この図９で一点鎖線を用いて、振り子１１８が上下方向に震動する力を与えられたときの動作を説明する。地震等によって振り子１１８が上下方向に震動する力を与えられ、この力がある程度以上大きくなったとする。すると、あるタイミングで第１の錘１２６の下端部が第２の錘１３１の上端部と接触し、これを下方に押し下げる。すると、このタイミングで振り子１１８の先端部１１８ＣＡが皿状部１１６Ａから離れる。このときも、図７に示した第１の電極板１０５と第２の電極板１０６の電気的な接続が一時的にオフとなる。
【００４４】
図１０は、感震センサを使用した異常時対応壁埋め込み型コンセントの回路構成の要部を表わしたものである。異常時対応壁埋め込み型コンセント２００は、図７等に示した感震センサ１００の第１の電極板１０５と第２の電極板１０６の間に、第１のリレー回路２０１の励磁コイル（Ｌ1）２０２と第１の直流電源２０３を直列に接続した第１の回路部分２０４を備えている。第１の回路部分２０４は、感震センサ１００がたとえば所定以上の震度に相当する横揺れあるいは縦揺れを感知すると、第１の電極板１０５と第２の電極板１０６の間が少なくとも一時的にオフとなる。
【００４５】
異常時対応壁埋め込み型コンセント２００は、第１の回路部分２０４の他に、第２の回路部分２０５および第３の回路部分２０６を備えている。第２の回路部分２０５は、第２の直流電源２０８を備えており、この第２の直流電源２０８に第１のリレー回路２０１の常開（ノーマルオープン：ＮＯ）接点２０９と第２のリレー回路２０７の励磁コイル（Ｌ2）２１０の直列回路を接続している。また、第１のリレー回路２０１の常開接点２０９には、第２のリレー回路２０７の常開接点２１１と、常時はオンとなっているリセットスイッチ２１２からなる直列回路が並列に接続されている。
【００４６】
したがって、第１の回路部分２０４の励磁コイル２０２が励磁されると、第１のリレー回路２０１の常開接点２０９が閉じて第２のリレー回路２０７の励磁コイル２１０が励磁される。これにより、常開接点２１１が閉じて第２のリレー回路２０７が自己保持する。すなわち、感震センサ１００の第１の電極板１０５と第２の電極板１０６の間が一時的にでもオフになると、その後、これらの間が再びオンになっても第２のリレー回路２０７の常開接点２１１が連続的にオン状態となる。このオン状態は、ユーザがリセットスイッチ２１２を手動によってオフにしない限り継続する。
【００４７】
第３の回路部分２０６は、異常時対応壁埋め込み型コンセント２００に取り付けられた一対の刃受け金具２１４、２１５を回路部品として備えている。一方の刃受け金具２１４には、第２のリレー回路２０７の常閉接点（ノーマルクローズ：ＮＣ）２１６の一端が接続され、他端は家屋内を配線される商用電源２１７の一端に接続されている。この商用電源２１７の他端はバイメタル等のサーモスイッチ２１８の一端に接続され、他端は他方の刃受け金具２１５に接続されている。サーモスイッチ２１８は屋内の火災やコンセント内の異常発熱を感知して所定の温度以上になったときにその接点を開くスイッチである。第２のリレー回路２０７の常閉接点２１６およびサーモスイッチ２１８の各接点は、定格電力の電流のオン・オフを可能とする接点構造となっている。
【００４８】
異常時対応壁埋め込み型コンセント２００の埋め込まれた家屋に地震等による規定以上の振動が加わらない初期状態では、第２のリレー回路２０７の常閉接点２１６がオンとなっている。したがって、サーモスイッチ２１８が異常な温度を感知していない状態で一対の刃受け金具２１４、２１５には商用電源２１７が供給され、その使用が可能になっている。この状態で予め定めた震度以上の地震が発生したとする。すると、感震センサ１００がこれを感知して第２のリレー回路２０７の常閉接点２１６がオフとなる。地震の揺れが収まって、図７に示す第１の電極板１０５と第２の電極板１０６の間が再びオンになってもリレー回路２０８の常閉接点２１６がオフの状態が保たれ、一対の刃受け金具２１４、２１５に図示しない電源プラグが装着されていても、この電源プラグへ電力が供給されることはない。これにより、電力会社が商用電源２１７の供給を回復させても、たとえば地震によって転倒した電気ストーブが発熱して火災が発生する事態を防止することができる。
【００４９】
ユーザは異常時対応壁埋め込み型コンセント２００を使用した家電製品の安全をチェックした後にリセットスイッチ２１２を押す。すると、第２のリレー回路２０７の励磁コイル２１０が解磁されて常開接点２１１が再びオフとなり、自己保持回路が自己保持を解消する。これにより、第２のリレー回路２０７の常閉接点２１６が再びオンになり、サーモスイッチ２１８が異常な温度を感知していない限り一対の刃受け金具２１４、２１５に商用電源２１７の供給が開始されることになる。
【００５０】
図１１は、第１の実施の形態の異常時対応壁埋め込み型コンセントを使用した配線システムの一例を示したものである。この配線システム３００の適用される家屋３０１には外部から電力を供給する入り口としてのブレーカ（分電盤）３０２が設けられており、内部のそれぞれの分岐ブレーカに系統別の電線３０４〜３０６が接続されている。この例では第１系統の電線３０４は照明器具３０７〜３０９に接続されている。第２系統の電線３０５はエアーコンディショナ３１１に接続されている。第３系統の電線３０６は第１の実施の形態の異常時対応壁埋め込み型コンセント２００と通常時対応壁埋め込み型コンセント３２１1、３２１2に接続されている。通常時対応壁埋め込み型コンセント３２１1、３２１2は、従来から使用されている通常の壁埋め込み型コンセントであり、地震や火災に対する電源供給の遮断機能を備えていない。
【００５１】
＜発明の第２の実施の形態＞
【００５２】
次に本発明の第２の実施の形態を説明する。
【００５３】
図１２は、本発明の第２の実施の形態による感震センサの断面構造を表わしたものである。この第２の実施の形態の感震センサ４００も、外形が直方体をしており、樹脂により形成された装置本体４０１の上端および下端を、樹脂製の底蓋４０２および上蓋４０３によって密閉した構造となっている。
【００５４】
装置本体４０１の一側面４０４の上部と上蓋４０３の境界位置からは第１の電極板４０５の一端が露出している。また、装置本体４０１の下部の同一側面４０４と底蓋４０２の境界位置からは第２の電極板４０６の一端が露出している。第１の電極板４０５は、１本のＬ字状の金属板の中程から、この金属板の短い直線部分４０５Ａの向きと逆方向に、すなわち長い直線部分４０５Ｂの中程から、短い直線部分４０５Ａと同じ長さの短い直線部分４０５Ｃが直線部分４０５Ａと反対方向に突出した形状の板状部材を使用している。この１本の板状部材は、短い２つの直線部分４０５Ａ、４０５Ｃを、それぞれ同一方向に折れ曲がるように、長い直線部分４０５Ｂに対して直角に折り曲げている。
【００５５】
上蓋４０３の内部には、それぞれの底部が装置本体４０１の上部と接する形で第１〜第３の上部凹部４１１〜４１３が形成されている。このうちの第１の上部凹部４１１における図で右端部分に位置する内壁には、直線部分４０５Ｃが配置されており、第３の上部凹部４１３における図で左端部分に位置する内壁には、直線部分４０５Ａが配置されている。これら２つの直線部分４０５Ｃ、４０５Ａは、上蓋４０３および装置本体４０１と共に電極板４０５を感震センサ４００内の所定位置に固設する役割を果たしている。
【００５６】
第２の上部凹部４１２は紙面に垂直に切断したときの断面が円形となるような、ほぼ円筒形の形状の空間となっている。この第２の上部凹部４１２の底部は、装置本体４０１に開けられた下部凹部４１４と、断面が円形の筒状開口部４１５によって連通している。電極板の直線部分４０５Ｂを成す所定幅の平板部分は、筒状開口部４１５の中心軸が通過する点を中心として上方に盛り上がった隆起部４０５Ｄを形成している。隆起部４０５Ｄの頂上に相当する箇所には筒状開口部４１５の直径よりも短くこれと同心円状となった円形穴４１６が穿たれている。
【００５７】
下部凹部４１４の底部に配置された第２の電極板４０６は、装置本体４０１の外部に端子としてその一端を突出させた第１の直線部分４０６Ａと、他端側から直角に折れ曲がった第２の直線部分４０６Ｂから構成されている。第２の直線部分４０６Ｂは、断面がコ字状に折り返された形状に加工されている。これにより、第２の直線部分４０６Ｂにおける折り返し前の状態で第１の直線部分４０６Ａから高さ方向に最も離れた部位（以下、支持部という。）４０６ＢＡは、加工後に、下部凹部４１４の底部と所定の間隔を置いて平行になっている。
【００５８】
支持部４０６ＢＡの上には、導体からなる振動板４１７がリベット１１７によって固定されている。振動板４１７はその中央位置が盛り上がった突起部４１７Ａを形成している。リベット１１７は、筒状開口部４１５の中心位置から垂線を引いたときの、その足が突起部４１７Ａの頂点に位置するように振動板４１７の水平方向における位置決めを行っている。
【００５９】
円筒状の第２の上部凹部４１２の円形穴４１６からは金属製の振り子４１９（４１９Ａ、４１９Ｂ、４１９Ｃ）が下部凹部４１４に向けて所定距離だけ差し込まれている。振り子４１９は、円形穴４１６よりも大径の頭部４１９Ａと、円形穴４１６よりも小径の胴体部４１９Ｂおよび胴体部４１９Ｂの先端に位置するテーパ状に加工された接触部４１９Ｃから構成されている。
【００６０】
図１３は、振り子を単独の部品として示したものである。図１２と共に説明する。
【００６１】
振り子４１９の頭部４１９Ａは、円板状となっている。この頭部４１９Ａは、振り子４１９の自重によって下向きの力が働く。したがって、第１の実施の形態の図７で示した第１の圧縮バネ１２１は用いられていない。もちろん、頭部４１９Ａに図７に示したような突起を配置して、圧縮バネの一端をこれに固定させてもよい。
【００６２】
頭部４１９Ａの下面は、図１２で示した隆起部４０５Ｄの上端によって支えられる。この状態で胴体部４１９Ｂは円形穴４１６および筒状開口部４１５によって定められる自由空間内で揺動自在である。
【００６３】
胴体部４１９Ｂは接触部４１９Ｃに繋がる端部近傍がリング状にカットされた小径部４１９ＢＡを形成している。この小径部４１９ＢＡには留め具４２３が装着されており、その上に胴体部４１９Ｂの外径よりも内径の大きなワッシャ４２４が装着されている。ワッシャ４２４の上には圧縮バネ４２５が胴体部４１９Ｂの外周を上下動自在に装着されている。ワッシャ４２４は圧縮バネ４２５の下方向の移動を制限する役割を果たしている。
【００６４】
胴体部４１９Ｂには、断面がコ字状をした筒状の第１の錘４２６が上下動自在に装着されている。この第１の錘４２６の下向きに開放した窪部４２７の天井部分とワッシャ４２４の間には圧縮バネ４２５が圧縮された状態で収容されている。圧縮バネ４２５は振り子４１９が地震等の外力によって左右に揺動したり上下方向に移動したとき、これらの振動を早期に収束させて胴体部４１９Ｂを鉛直方向に静止させる役割を持っている。
【００６５】
接触部４１９Ｃはその先端を除く、断面が２等辺三角形の斜辺に相当する部分であり、第１の錘４２６を取り付けた振り子４１９が自重で静止した状態では、同じく断面が２等辺三角形の斜辺に相当する突起部４１７Ａの外周部分に接触する。この接触状態で２つの２等辺三角形は互いに逆向きとなっており、接触部位の斜辺は互いに平行である。
【００６６】
また、接触部４１９Ｃおよび突起部４１７Ａは、金メッキでこれらの表面が加工されている。このため、振り子４１９が自重で静止した状態で、振り子４１９と第２の電極板４０６は電気的に良好に接続される。また、第１の電極板４０５の隆起部４０５Ｄの上部と振り子４１９の頭部４１９Ａも金メッキでこれらの表面が加工されている。このため、第１の電極板４０５と振り子４１９は常に電気的に良好に接続される。すなわち、地震等の震動が振り子４１９に加わっていない状態で第１の電極板４０５と第２の電極板４０６は電気的に導通していることになる。
【００６７】
これに対して、振り子４１９が揺動して、その接触部４１９Ｃが突起部４１７Ａから離れると、第１の電極板４０５と第２の電極板４０６の間の電気的な接続は絶たれる。図１２では、一点鎖線を用いて振り子４１９が揺動したときを具体的に表わしている。振り子４１９が図示のように右方向に振れたとすると、その間は接触部４１９Ｃが突起部４１７Ａから離れた状態となる。
【００６８】
図１４は、第２の実施の形態の感震センサの要部を表わしたものである。感震センサ４００を構成する振動板４１７の一端は、すでに説明したようにリベット４１８によって第２の電極板４０６の支持部４０６ＢＡによって位置的に固定されている。振動板４１７の他端は自由端となっており、その自由端の近傍には第２の錘４３１が固定されている。
【００６９】
また、振り子４１９が静止してその接触部４１９Ｃが突起部４１７Ａと接触している状態で、振動板４１７はほぼ水平を保っている。このとき、振動板４１７の自由端側の端部４１７Ｂは、下部凹部４１４の内壁から一部突出した突起部４０１Ａのわずか下に位置するようになっている。突起部４０１Ａは、感震センサ４００に上下方向の振動が加わったときの振動板４１７の振れの上限位置を規制する役割を持っている。
【００７０】
この図１４で一点鎖線を用いて、振り子４１９が上下方向に震動する力を与えられたときの動作を説明する。地震等によって振り子４１９が上下方向に震動する力を与えられ、この力がある程度以上大きくなったとする。すると、あるタイミングで第１の錘４２６の下端部が第２の錘４３１の上端部と接触し、これを下方に押し下げる。すると、このタイミングで振り子４１９の接触部４１９Ｃが突起部４１７Ａから離れる。このときも、図１２に示した第１の電極板４０５と第２の電極板４０６の電気的な接続が一時的にオフとなる。
【００７１】
先に図１０で示した異常時対応壁埋め込み型コンセントの回路構成は、第２の実施の形態の感震センサ４００でも適用することができる。ただし、図１０で示した「感震センサ１００」を「感震センサ４００」と置き換え、「第１の電極板１０５」を「第１の電極板４０５」と置き換え、「第２の電極板１０６」を「第２の電極板４０６」と置き換えるものとする。図１１も第２の実施の形態の感震センサ４００に適用することができる。
【実施例１】
【００７２】
図１５は第１の実施の形態の配線システムの適用された第１の実施例におけるコンセントの接続関係を示したものである。なお、この図ではアース接地用の接続端子およびこれに接続される電線の図示を省略している。図１０および図１１と共に説明する。
【００７３】
第１の実施例の配線システム３００Ａで、異常時対応壁埋め込み型コンセント２００は、その内部に感震センサ１００やその付属回路およびサーモスイッチ２１８を備えている。また、図１１に示した第３系統の電線３０６の一方を第２のリレー回路２０７の常閉接点２１６に接続し、他方を刃受け金具２１４および第１の接続端子３３１に接続している。第３系統の電線３０６の他方はサーモスイッチ２１８を介して刃受け金具２１５および第２の接続端子３３２に接続している。
【００７４】
第１の接続端子３３１と電気的に接続した第３の接続端子３３３には、次の第１の通常時対応壁埋め込み型コンセント３２１1用の電線３４１1の一端を接続している。第２の接続端子３３２と電気的に接続した第４の接続端子３３４には、第１の通常時対応壁埋め込み型コンセント３２１1用の電線３４１2の一端を接続している。
【００７５】
電線３４１1の他端は第１の通常時対応壁埋め込み型コンセント３２１1内の第１の接続端子３５１に接続し、電線３４１2の他端は第１の通常時対応壁埋め込み型コンセント３２１1内の第２の接続端子３５２に接続している。第１の接続端子３５１と電気的に接続した第３の接続端子３５３には、次の第２の通常時対応壁埋め込み型コンセント３２１2用の電線３４２1の一端を接続している。第２の接続端子３５２と電気的に接続した第４の接続端子３５４には、第２の通常時対応壁埋め込み型コンセント３２１2用の電線３４２2の一端を接続している。
【００７６】
電線３４２1の他端は第２の通常時対応壁埋め込み型コンセント３２１2内の第１の接続端子３６１に接続し、電線３４２2の他端は第２の通常時対応壁埋め込み型コンセント３２１2内の第２の接続端子３６２に接続している。第１の接続端子３６１と電気的に接続した第３の接続端子３６３は後続のコンセントの配線用である。第２の接続端子３６２と電気的に接続した第４の接続端子３６４も後続のコンセントの配線用である。
【００７７】
このように第１および第２の通常時対応壁埋め込み型コンセント３２１1、３２１2は内部に感震センサ１００やその付属回路およびサーモスイッチ２１８を備えていない。しかしながら、異常時対応壁埋め込み型コンセント２００に対して第１および第２の通常時対応壁埋め込み型コンセント３２１1、３２１2を直列に接続することで、異常時対応壁埋め込み型コンセント２００が異常を検出して対応するプラグへの給電をオフとしたとき、第１および第２の通常時対応壁埋め込み型コンセント３２１1、３２１2も対応するプラグへの給電をオフとすることになる。
【００７８】
図１６は、壁埋め込み型コンセントが壁に埋め込まれたときの外観を示したものである。第１の実施の形態の異常時対応壁埋め込み型コンセント２００の下半分はプラグ挿入部３７１となっている。ここには、図１０に示した一対の刃受け金具２１４、２１５に対応する電源挿入口３７２、３７３と、アース挿入口３７４が設けられている。
【００７９】
また、本来はもう１組のプラグ挿入部が配置されるプラグ挿入部３７１の上部には、正常点灯ランプ３７５と異常点灯ランプ３７６の２つのＬＥＤ（Light Emitting Diode）ランプと、リセットスイッチ２１２が配置されている。正常点灯ランプ３７５は一例としては緑色のランプであり、規定異常の地震が発生しておらず、かつ異常時対応壁埋め込み型コンセント２００の内部の温度が正常であることを示す。正常点灯ランプ３７５が点灯している状態では、プラグ挿入部３７１に電源が供給されている。
【００８０】
異常点灯ランプ３７６は一例としては赤色のランプであり、規定異常の地震が発生するか、異常時対応壁埋め込み型コンセント２００の内部の温度が異常になったことを示す。異常点灯ランプ３７６が点灯している状態では、プラグ挿入部３７１に電源が供給されていない。ユーザは、異常の原因を探り、かつ利用する電気製品の状態を確認した後にリセットスイッチ２１２を押下する。このとき、異常の原因がなくなっていれば異常点灯ランプ３７６が消灯して代わりに正常点灯ランプ３７５が点灯し、プラグ挿入部３７１に電源の供給が開始される。異常時対応壁埋め込み型コンセント２００に電源の供給が行われれば、第１および第２の通常時対応壁埋め込み型コンセント３２１1、３２１2にも電源の供給が行われれることになる。
【００８１】
もちろん、異常時対応壁埋め込み型コンセント２００の電源の供給のオン・オフに係わらず、第１および第２の通常時対応壁埋め込み型コンセント３２１1、３２１2に常に電源を供給したい場合がある。また、第１および第２の通常時対応壁埋め込み型コンセント３２１1、３２１2には商用電源が復旧した時点でリセットスイッチ２１２のリセットの操作を待つまでもなく電源の供給を開始させる必要がある場合もある。たとえば地震情報を聞くためにラジオを第１の通常時対応壁埋め込み型コンセント３２１1に接続していたり、インターネット接続用のルータを第２の通常時対応壁埋め込み型コンセント３２１2に接続している場合である。このような場合には、電線３４１1の一端を第２のリレー回路２０７の常閉接点２１６よりも電源の上流側に接続するようにすればよい。これにより、第２のリレー回路２０７の動作の有無に係わらず第１および第２の通常時対応壁埋め込み型コンセント３２１1、３２１2に商用電源の供給が可能になる。
【実施例２】
【００８２】
図１７は本発明の第２の実施例による配線システムにおけるコンセントの接続関係を表わしたものである。第２の実施例の配線システム３００Ｂで図１５と同一部分には同一の符号を付しており、これらの説明を適宜省略する。
【００８３】
第２の実施例では、第３系統の電線３０６の他に第４系統の電線３８１が用意されている。第３系統の電線３０６の方には「震度７」以上の地震があったときに異常を検出する感震センサ１００7を備えた異常時対応壁埋め込み型コンセント２００7が、並列接続の１段目に接続されている。また、第４系統の電線３８１の方には「震度５」以上の地震があったときに異常を検出する感震センサ１００5を備えた異常時対応壁埋め込み型コンセント２００5が、並列接続の１段目に接続されている。一方の異常時対応壁埋め込み型コンセント２００7の後段には、第１および第２の通常時対応壁埋め込み型コンセント３２１1、３２１2が、電線３４１1、３４１2、３４２1、３４２2を用いて図１５と同一の接続構造で接続されている。他方の異常時対応壁埋め込み型コンセント２００5の後段には、第３および第４の通常時対応壁埋め込み型コンセント３２１3、３２１4が、電線３４３1、３４３2、３４４1、３４４2を用いて図１５と同一の接続構造で接続されている。
【００８４】
これにより、第２の実施例の配線システム３００Ｂでは「震度５」以上で「震度７」未満の地震が発生したとき、異常時対応壁埋め込み型コンセント２００5と第３および第４の通常時対応壁埋め込み型コンセント３２１3、３２１4がそれらの給電を一斉に停止する。また、震度７以上の地震が発生した場合には２つの異常時対応壁埋め込み型コンセント２００5、１０7だけでなく、４つの通常時対応壁埋め込み型コンセント３２１1〜３２１4がそれらの給電を一斉に停止することになる。このように地震の程度に応じた配線システムを経済的に作成することができる。なお、この第２の変形例では異常な温度になったときの動作の説明を省略している。
【実施例３】
【００８５】
図１８は本発明の第３の実施例による配線システムを表わしたものである。第３の実施例の配線システム３００Ｃで図１５あるいは図１７と同一部分には同一の符号を付しており、これらの説明を適宜省略する。
【００８６】
この第３の実施例では、「震度７」以上の地震があったときに異常を検出する感震センサ１００7を備えた異常時対応壁埋め込み型コンセント２００7の次の段に第１の通常時対応壁埋め込み型コンセント３２１1を接続し、その次の段に「震度５」以上の地震があったときに異常を検出する感震センサ１００5を備えた異常時対応壁埋め込み型コンセント２００5を接続している。そして更に次の段に第２の通常時対応壁埋め込み型コンセント３２２2を接続し、その次の段に「震度３」以上の地震があったときに異常を検出する感震センサ１００3を備えた異常時対応壁埋め込み型コンセント２００3を接続している。その更に次に第３の通常時対応壁埋め込み型コンセント３２１3を接続している。
【００８７】
これにより、「震度３」以上「震度５」未満の地震が発生すると、異常時対応壁埋め込み型コンセント２００3と第３の通常時対応壁埋め込み型コンセント３２１3の給電が停止する。また、「震度５」以上「震度７」未満の地震が発生すると、異常時対応壁埋め込み型コンセント２００3と異常時対応壁埋め込み型コンセント２００5ならびに第２および第３の通常時対応壁埋め込み型コンセント３２１2、３２１3の給電が停止することになる。更に「震度７」以上の地震が発生した場合には、図１８に示したすべての埋め込み型コンセント２００3、２００5、２００7、３２１1〜３２１3の給電が停止することになる。
【００８８】
なお、この図１８に示した接続構造では大きな震度の地震を検出する異常時対応壁埋め込み型コンセント２００ほど図１１に示したブレーカ３０２あるいは配電盤に近い側に配置されている。したがって、何らかの原因で震度の小さな側の異常時対応壁埋め込み型コンセント２００が給電をオフにする制御に失敗しても、震度が大きくなってより大きな震度を検出する異常時対応壁埋め込み型コンセント２００が動作すれば、それよりも後段ですべての給電が遮断される。したがって、より信頼性の高い異常時対策を採ることが可能になる。
【００８９】
なお、以上説明した第１および第２の実施の形態および各実施例では地震と壁埋め込み型コンセントの温度上昇の異常について本発明を適用したが、他の異常を検出した場合にも本発明を同様に適用することができる。また、地震や異常温度の検出には各種の方法があり、第１および第２の実施の形態および各実施例で示した具体的な検出原理あるいは検出の構成に限定されるものではないことは当然である。更に本発明は地震以外の異常な振動に対しても適用されることは当然である。
【００９０】
また、図７に示した感震センサ１００や図１２に示した感震センサ４００は、単独に使用することができるセンサであり、必ずしも異常時対応壁埋め込み型コンセント２００の内部に組み込んで使用する必要はない。たとえば、テーブルに置いて使用するガスコンロの側部に感震センサ１００、４００を取り付けて、その出力を保持する回路を用いてガスの放出を停止させることも可能である。
【００９１】
以上説明した第１の実施の形態の感震センサ１００、によれば、第１の圧縮バネ１２１や第２の圧縮バネ１２５のバネ圧を調整することで、地震の感度や皿状部１１６Ａに対する振り子の先端部１１８ＣＡを調整することができる。しかも、第２の関連技術では、振り子の震動によってその上に配置した錘を落下させるので、リセット時には落下した錘を正確に振り子の上端部にセットし直す必要があるが、第１の実施の形態の感震センサ１００ではこのような複雑な機構を必要とせず、装置の信頼性を高めることができる。
【００９２】
なお、感震センサ１００、４００を異常時対応壁埋め込み型コンセント２００等の機器の内部に組み込む場合には、必ずしもセンサ自体を密閉構造にする必要はない。たとえば、図７に示した装置本体１０１等の部品の一部を省略したり、端子を装置内部に埋め込む等の工夫を行って、装置を簡略化して、感震センサの小型化や軽量化およびコストダウンを図ることができることは当然である。
【００９３】
また、以上説明した実施例によれば、異常時対応壁埋め込み型コンセントの後続のコンセントが異常時対応壁埋め込み型コンセントでない通常時対応壁埋め込み型コンセントであっても異常時に電気製品に対して電源の供給を同様に絶つことができ、経済的な配線システムを構築可能であり、これにより通電に伴うトラブルの発生を大幅に減少させることができる。
【００９４】
また、配電盤あるいは電源に近い側をより震度の大きな地震によって接点を絶つことで、何らかの障害で、より小さな地震に対して異常時対応壁埋め込み型コンセントがうまく動作しなくても他の異常時対応壁埋め込み型コンセントがより大きな地震による変位によって接点を絶ってこれよりも下流側の電源供給を遮断することができるので、信頼性を高めた配線システムを安価に構成することができる。
【００９５】
更に異常時対応壁埋め込み型コンセントの表面には、正常時に点灯するＬＥＤランプと、異常時に点灯するＬＥＤランプとリセットスイッチを配置した。これにより、ユーザはコンセントに接続した家電製品等の電気器具が動作しないときに障害の切り分けを簡単に行うことができる。また、異常時に点灯するＬＥＤランプが点灯している時には、リセットボタンを押す前に家電製品等の電気器具の安全性を確認することができる。
【００９６】
なお、実施例では異常時対応壁埋め込み型コンセントが１組のプラグ挿入部３７１を備えることにしたが、たとえばアース挿入口３７４を省略して、２組のプラグ挿入部を備えるようにすることも可能である。また、実施の形態では、振り子１１８の頭部１１８Ａの下半分を面１１４と同一の曲率の部分球面としたが、これよりも径の短い部分球面としてもよい。また、リセットスイッチの代わりに、機械的に外部から差し込んだ針金等の物体で第１の錘１２６、４２６を移動させるリセット用穴を設けてもよい。
【００９７】
また、実施例では異常時対応壁埋め込み型コンセントが１回の比較的大きな振動の発生によって給電を絶つものとして説明したが、これに限るものではない。通常の地震は、大きな揺れが複数回同時に発生する。そこで、感震センサ内に電気的な計数回路を配置しておいて、２回以上の所定回数だけ連続してオフ状態が出現したとき異常な振動があったものと検出するようにしてもよい。これにより、異常時対応壁埋め込み型コンセントの使用者が誤って足や物体を異常時対応壁埋め込み型コンセントにぶつけたような場合に給電が停止するといった検出ミスを防止することができる。
【００９８】
更に第１および第２の実施の形態および各実施例では異常時対応壁埋め込み型コンセントについて説明したが、本発明の異常時対応コンセントは、壁に埋め込んで使用するコンセントに限るものではない。コンセントが位置的に固定され、これに内蔵する感震センサが精度よく地震を感知できるものであれば、その名称の如何を問わない。たとえば、建築後の家屋や工場の柱や壁に主として取り付ける露出コンセントあるいは仮設コンセントと呼ばれるコンセントを固定して、プラグへ電源を供給する場合がある。このような柱や壁の表面から露出したコンセントに対しても本発明を適用することができるのは当然である。
【００９９】
また、感知する震度の異なる複数の感震センサを使用して配線を行う場合、実施例で挙げた以外の各種の組み合わせで各コンセントの給電の制御を行うことができることも当然である。
【０１００】
更に第１の実施の形態では、図７または図８で示したように、接触部１１８Ｃの先端部１１８ＣＡが皿状部１１６Ａの内面と接触するようにしたが、振動板１１６が先端部１１８ＣＡと接触する部位は必ずしも皿状に窪んでいる必要はない。また、実施の形態では感震センサ１００を密閉構造としたが、必ずしも密閉にする必要はない。
【０１０１】
図１９は、図７に対応するもので、振動板の他の形状を示したものである。第１の実施の形態の変形例の感震センサ１００Ａでは、板状の振動板５０１の一部がプレス加工によって、円錐を所定の高さで水平に切断してその上部を取り除いたような凸状部５０１Ａを形成している。この変形例の場合にも、金属製の振り子１１８が静止した状態で接触部１１８Ｃの先端部１１８ＣＡ（図５参照）が凸状部５０１Ａの上部を形成する平坦な部位と接触する。そして、図１９で一点鎖線で示したように振り子１１８が所定角度以上横揺れしたり、あるいは感震センサ１００Ａの上下方向の震動により錘１２６の当接片１３１（図９参照）が押し下げられることによって、先端部１１８ＣＡと凸状部５０１Ａが一時的に非接触となることになる。
【０１０２】
また、以上説明した第１の実施例〜第３の実施例は、第１の実施の形態のみならず、第２の実施の形態にも適用することができる。
【０１０３】
また、以上説明した実施の形態の一部または全部は、以下の付記のようにも記載されるが、以下の記載に限定されるものではない。
【０１０４】
（付記１）
内面が球面の一部をなし、その底部に水平方向に所定の径の開口部を有する皿状部材を振動の伝達を受ける所定の空間位置に固定した固定部と、
この固定部の前記皿状部材における前記球面と外接する外接面を外周部分に形成し、前記開口部の径よりも大径となった頭部と、この頭部と接すると共に前記開口部の径よりも小径となった所定長の棒状の胴体部と、この胴体部における前記頭部と反対側に配置され前記開口部の径よりも小径となった接触部とを備え、前記頭部と接触部とが電気的に導通しており、前記皿状部材の前記球面と前記頭部の前記外接面とが摺接することで特定点を回転中心として揺動自在に配置された棒状部と、
貫通孔を備え前記棒状部の前記胴体部をこれに貫挿した重り部材と、この重り部材を上下動自在に前記棒状部に支持する弾性部材とを備えた特定方向振動部と、
前記棒状部が前記固定部に静止状態で垂直に保持されているときに前記接触部と電気的に接触して前記頭部との間で電気的な接続のオン状態を保持する一方、前記棒状部が垂直方向に対して所定角度以上振れたとき、あるいは前記特定方向振動部が所定量以上上下動を行ったとき電気的な接続が少なくとも一時的にオフとなる接点を備えた接点部
とを具備することを特徴とする感震センサ。
【０１０５】
（付記２）
振動の伝達を受ける所定の空間位置に配置され水平方向に所定の径の開口部を有する支持部材と、
この支持部材の前記開口部の径よりも大径となった頭部と、この頭部の底面と接して前記開口部の径よりも小径となった所定長の棒状の胴体部と、この胴体部の前記頭部と反対側に位置する接触部とからなる導体部品であり、前記支持部材により前記頭部の下面を支持された状態で特定点を回転中心として揺動自在に配置された棒状部と、
貫通孔を備え前記棒状部の前記胴体部をこれに貫挿した重り部材と、前記接触部をこの重り部材の底部から露出させた状態で上下動自在に前記棒状部に支持する弾性部材とを備えた特定方向振動部と、
頂部が前記開口部と所定の距離を置いて対向配置され、前記棒状部が静止状態にあるとき前記重り部材を含めたこの棒状部の自重により前記接触部の外周面と電気的に接触して前記頭部との間で電気的な接続のオン状態を保持する一方、前記棒状部が前記静止状態にあるときの垂直方向となす角度よりも更に大きく振れたとき、あるいは前記特定方向振動部が所定量以上上下動を行ったとき前記頭部との間の電気的な接続が少なくとも一時的にオフとなる突起状の接点部
とを具備することを特徴とする感震センサ。
【０１０６】
（付記３）
前記接点部と前記棒状部の前記頭部との電気的な接続がオフとなったときこのオフとなった状態を自己保持する保持回路と、この保持回路の自己保持を解除するリセットスイッチとを具備することを特徴とする付記１または付記２記載の感震センサ。
【０１０７】
（付記４）
前記接点部と前記棒状部の前記頭部との電気的な接続のオン・オフによって励磁コイルのオン・オフ状態を切り替えてその接点をオン・オフ制御するリレー回路を更に具備することを特徴とする付記３記載の感震センサ。
【０１０８】
（付記５）
コンセント本体と、
このコンセント本体内部の特定部位に配置され、その内面が球面の一部をなし、その底部に水平方向に所定の径の開口部を有する皿状部材を前記コンセント本体から振動の伝達を受ける所定の空間位置に固定した固定部と、この固定部の前記皿状部材における前記球面と外接する外接面を外周部分に形成し、前記開口部の径よりも大径となった頭部と、この頭部と接すると共に前記開口部の径よりも小径となった所定長の棒状の胴体部と、この胴体部における前記頭部と反対側に配置され前記開口部の径よりも小径となった接触部とを備え、前記頭部と接触部とが電気的に導通しており、前記皿状部材の前記球面と前記頭部の前記外接面とが摺接することで特定点を回転中心として揺動自在に配置された棒状部と、貫通孔を備え前記棒状部の前記胴体部をこれに貫挿した重り部材と、この重り部材を上下動自在に前記棒状部に支持する弾性部材とを備えた特定方向振動部と、前記棒状部が前記固定部に静止状態で垂直に保持されているときに前記接触部と電気的に接触して前記頭部との間で電気的な接続のオン状態を保持する一方、前記棒状部が垂直方向に対して所定角度以上振れたとき、あるいは前記特定方向振動部が所定量以上上下動を行ったとき電気的な接続が少なくとも一時的にオフとなる接点を備えた接点部とを有する感震センサと、
この感震センサの前記接点部の前記接点と前記棒状部の前記頭部との電気的な接続がオフとなったときこのオフとなった状態を自己保持する保持回路と、
この保持回路の自己保持を解除するリセットスイッチ
とを具備することを特徴とする異常時対応コンセント。
【０１０９】
（付記６）
コンセント本体と、
このコンセント本体内部の特定部位に配置され、前記コンセント本体から振動の伝達を受ける所定の空間位置に配置され水平方向に所定の径の開口部を有する支持部材と、この支持部材の前記開口部の径よりも大径となった頭部と、この頭部の底面と接して前記開口部の径よりも小径となった所定長の棒状の胴体部と、この胴体部の前記頭部と反対側に位置する接触部とからなる導体部品であり、前記支持部材により前記頭部の下面を支持された状態で特定点を回転中心として揺動自在に配置された棒状部と、貫通孔を備え前記棒状部の前記胴体部をこれに貫挿した重り部材と、前記接触部をこの重り部材の底部から露出させた状態で上下動自在に前記棒状部に支持する弾性部材とを備えた特定方向振動部と、頂部が前記開口部と所定の距離を置いて対向配置され、前記棒状部が静止状態にあるとき前記重り部材を含めたこの棒状部の自重により前記接触部の外周面と電気的に接触して前記頭部との間で電気的な接続のオン状態を保持する一方、前記棒状部が前記静止状態にあるときの垂直方向となす角度よりも更に大きく振れたとき、あるいは前記特定方向振動部が所定量以上上下動を行ったとき前記頭部との間の電気的な接続が少なくとも一時的にオフとなる突起状の接点部とを有する感震センサと、
この感震センサの前記接点部の前記接点と前記棒状部の前記頭部との電気的な接続がオフとなったときこのオフとなった状態を自己保持する保持回路と、
この保持回路の自己保持を解除するリセットスイッチ
とを具備することを特徴とする異常時対応コンセント。
【０１１０】
（付記７）
前記コンセント本体内部の他の特定部位に配置され、予め定めた温度以上の温度を感知したときその接点をオフにするサーモスイッチを具備し、前記保持回路は前記感震センサの前記接点部の前記接点と前記棒状部の前記頭部との電気的な接続または前記サーモスイッチの接点のいずれかが少なくともオフになったときこのオフとなった状態を自己保持する保持回路であることを特徴とする付記５または付記６記載の異常時対応コンセント。
【０１１１】
（付記８）
コンセント本体と、このコンセント本体内部の特定部位に配置され、その内面が球面の一部をなし、その底部に水平方向に所定の径の開口部を有する皿状部材を前記コンセント本体から振動の伝達を受ける所定の空間位置に固定した固定部と、この固定部の前記皿状部材における前記球面と外接する外接面を外周部分に形成し、前記開口部の径よりも大径となった頭部と、この頭部と接すると共に前記開口部の径よりも小径となった所定長の棒状の胴体部と、この胴体部における前記頭部と反対側に配置され前記開口部の径よりも小径となった接触部とを備え、前記頭部と接触部とが電気的に導通しており、前記皿状部材の前記球面と前記頭部の前記外接面とが摺接することで特定点を回転中心として揺動自在に配置された棒状部と、貫通孔を備え前記棒状部の前記胴体部をこれに貫挿した重り部材と、この重り部材を上下動自在に前記棒状部に支持する弾性部材とを備えた特定方向振動部と、前記棒状部が前記固定部に静止状態で垂直に保持されているときに前記接触部と電気的に接触して前記頭部との間で電気的な接続のオン状態を保持する一方、前記棒状部が垂直方向に対して所定角度以上振れたとき、あるいは前記特定方向振動部が所定量以上上下動を行ったとき電気的な接続が少なくとも一時的にオフとなる接点を備えた接点部とを有する感震センサと、この感震センサの前記接点部の前記接点と前記棒状部の前記頭部との電気的な接続がオフとなったときこのオフとなった状態を自己保持する保持回路と、この保持回路の自己保持を解除するリセットスイッチとを備えた異常時対応コンセントと、
この異常時対応コンセントよりも電源の下流側に配置され、前記電源の供給側に一端を接続された電線の他端を接続する入力側電線接続手段と、この入力側電線接続手段と接続されたプラグ接続端子と、前記入力側電線接続手段と電気的に接続され、後続のコンセントに電源を供給する出力側電線接続手段とを備えた通常時対応コンセントと、
前記異常時対応コンセントの前記保持回路の自己保持と前記リセットスイッチによる自己保持の解除に下流側の通常時対応コンセントが連動して電源の供給をオフまたはオンにして接続する導電性部材
とを具備することを特徴とする配線システム。
【０１１２】
（付記９）
コンセント本体と、このコンセント本体内部の特定部位に配置され、前記コンセント本体から振動の伝達を受ける所定の空間位置に配置され水平方向に所定の径の開口部を有する支持部材と、この支持部材の前記開口部の径よりも大径となった頭部と、この頭部の底面と接して前記開口部の径よりも小径となった所定長の棒状の胴体部と、この胴体部の前記頭部と反対側に位置する接触部とからなる導体部品であり、前記支持部材により前記頭部の下面を支持された状態で特定点を回転中心として揺動自在に配置された棒状部と、貫通孔を備え前記棒状部の前記胴体部をこれに貫挿した重り部材と、前記接触部をこの重り部材の底部から露出させた状態で上下動自在に前記棒状部に支持する弾性部材とを備えた特定方向振動部と、頂部が前記開口部と所定の距離を置いて対向配置され、前記棒状部が静止状態にあるとき前記重り部材を含めたこの棒状部の自重により前記接触部の外周面と電気的に接触して前記頭部との間で電気的な接続のオン状態を保持する一方、前記棒状部が前記静止状態にあるときの垂直方向となす角度よりも更に大きく振れたとき、あるいは前記特定方向振動部が所定量以上上下動を行ったとき前記頭部との間の電気的な接続が少なくとも一時的にオフとなる突起状の接点部とを有する感震センサと、この感震センサの前記接点部の前記接点と前記棒状部の前記頭部との電気的な接続がオフとなったときこのオフとなった状態を自己保持する保持回路と、この保持回路の自己保持を解除するリセットスイッチとを備えた異常時対応コンセントと、
この異常時対応コンセントよりも電源の下流側に配置され、前記電源の供給側に一端を接続された電線の他端を接続する入力側電線接続手段と、この入力側電線接続手段と接続されたプラグ接続端子と、前記入力側電線接続手段と電気的に接続され、後続のコンセントに電源を供給する出力側電線接続手段とを備えた通常時対応コンセントと、
前記異常時対応コンセントの前記保持回路の自己保持と前記リセットスイッチによる自己保持の解除に下流側の通常時対応コンセントが連動して電源の供給をオフまたはオンにして接続する導電性部材
とを具備することを特徴とする配線システム。
【０１１３】
（付記１０）
前記異常時対応コンセントは、前記コンセント本体内部の他の特定部位に配置され、予め定めた温度以上の温度を感知したときその接点をオフにするサーモスイッチを具備し、前記保持回路は前記感震センサの前記接点部の前記接点と前記棒状部の前記頭部との電気的な接続または前記サーモスイッチの接点のいずれかが少なくともオフになったときこのオフとなった状態を自己保持する保持回路であることを特徴とする付記８または付記９記載の配線システム。
【符号の説明】
【０１１４】
１０、２０、３１ｂ、３２、４２、６１ｂ、１００、４００  感震センサ
１１、３２ａ  固定部
１２、２２、３２ｂ、４２ｂ  棒状部
１２ａ、２２ａ  頭部
１２ｂ、２２ｂ  胴体部
１２ｃ、２２ｃ、４１９Ｃ  接触部
１３、２３、３２ｃ、４２ｃ  特定方向振動部
１３ａ、２３ａ  重り部材
１３ｂ、２３ｂ  弾性部材
１４、２４、３２ｄ、４２ｄ  接点部
２１、４２ａ  支持部材
２３  特定方向振動部
３０、４０、６１  異常時対応コンセント
３１、４１、６１ａ  コンセント本体
３３、４３、６１ｃ  保持回路
３４、４４、６１ｄ、２１２  リセットスイッチ
５０、３００、３００Ａ、３００Ｂ、３００Ｃ  配線システム
５２、６２  通常時対応コンセント
５２ａ、６２ａ  入力側電線接続手段
５２ｂ、６２ｂ  プラグ接続端子
５２ｃ、６２ｃ  出力側電線接続手段
５３、６３  導電性部材
１０５、４０５  第１の電極板
１０６、４０６  第２の電極板
１１６、４１７  振動板
１１６Ａ  皿状部
１１８、４１９  振り子
１１８Ｃ  接触部
１２１  第１の圧縮バネ
１２５  第２の圧縮バネ
１２６、４２６  第１の錘
１３１、４３１  第２の錘
２０１  第１のリレー回路
２０７  第２のリレー回路
２１４、２１５  刃受け金具
２１７  商用電源
２１８  サーモスイッチ
３０２  ブレーカ
３２１  通常時対応壁埋め込み型コンセント
４１７Ａ  突起部
４２５  圧縮バネ
【図１】
0005504085.tif 000002
【図２】
0005504085.tif 000003
【図３】
0005504085.tif 000004
【図４】
0005504085.tif 000005
【図５】
0005504085.tif 000006
【図６】
0005504085.tif 000007
【図７】
0005504085.tif 000008
【図８】
0005504085.tif 000009
【図９】
0005504085.tif 000010
【図１０】
0005504085.tif 000011
【図１１】
0005504085.tif 000012
【図１２】
0005504085.tif 000013
【図１３】
0005504085.tif 000014
【図１４】
0005504085.tif 000015
【図１５】
0005504085.tif 000016
【図１６】
0005504085.tif 000017
【図１７】
0005504085.tif 000018
【図１８】
0005504085.tif 000019
【図１９】
0005504085.tif 000020